(57)【要約】【課題】高所においても容易かつ安全に設置できる軽量型の高所用軽量スピーカ装置を提供すること。【解決手段】ハニカム構造体の少なくとも一方の主面に被覆板が設けられてなる振動板と、前記振動板に取り付けられた励振器とを有する高所用軽量スピーカ装置であって、前記被覆板の重量（ＷＬ）に対する前記ハニカム構造体の重量（ＷＨ）の重量比（ＷＨ／ＷＬ）が１／１００以上、１／１以下であるもの。【選択図】図１
0003122449.tif 000002
【実用新案登録請求の範囲】
【請求項１】
ハニカム構造体の少なくとも一方の主面に被覆板が設けられてなる振動板と、前記振動板に取り付けられた励振器とを有する高所用軽量スピーカ装置であって、
前記被覆板の重量（ＷＬ）に対する前記ハニカム構造体の重量（ＷＨ）の重量比（ＷＨ／ＷＬ）が１／１００以上、１／１以下であることを特徴とする請求項１記載の高所用軽量スピーカ装置。
【請求項２】
前記振動板は角部が丸く加工されていることを特徴とする請求項１記載の高所用軽量スピーカ装置。
【請求項３】
前記振動板は前記ハニカム構造体の一方の主面のみに前記被覆板が設けられたものであることを特徴とする請求項１または２記載の高所用軽量スピーカ装置。
【請求項４】
前記ハニカム構造体がアラミド繊維からなる基材にフェノール系樹脂を含浸、硬化させたものであり、前記被覆板がガラス繊維にエポキシ系樹脂を含浸、硬化させたものであることを特徴とする請求項１乃至３のいずれか１項記載の高所用軽量スピーカ装置。
【請求項５】
前記高所用軽量スピーカ装置は建築物あるいは輸送機器の室内あるいは室外の高所部分に直接または間接的に取り付けられて使用されるものであることを特徴とする請求項１乃至４のいずれか１項記載の高所用軽量スピーカ装置。
【請求項６】
前記高所用軽量スピーカ装置は航空機の外部に直接または間接的に取り付けられて使用されるものであることを特徴とする請求項１乃至４のいずれか１項記載の高所用軽量スピーカ装置。
【請求項７】
前記高所用軽量スピーカ装置は一端部にバルーンが取り付けられ、他端部に紐状あるいはワイヤー状の固定具が取り付けられ、アドバルーンとして使用されるものであることを特徴とする請求項１乃至４のいずれか１項記載の高所用軽量スピーカ装置。
【考案の詳細な説明】
【技術分野】
【０００１】
本考案は高所においても安全に設置できる軽量型の高所用軽量スピーカ装置に関する。
【背景技術】
【０００２】
従来、劇場等の大音響スピーカシステムでは、重低音から高温までの音域をカバーし、大音響を発生させるため、高重量の大型スピーカを地面等に設置している。また、このような大型スピーカを地面等に設置するには広い設置面積が必要とされ、このような設置面積を確保することが困難ことから、天井等から吊り下げることも行われている。さらに、良好な音質を確保する必要からも、天井等から吊り下げることが行われている。
【０００３】
しかし、このような大型スピーカを天井等から吊り下げる場合、大掛かりで高額な吊り下げ装置等が必要とされる。さらに、このような大型スピーカを天井等から吊り下げた場合、地震等により落下しやすく、また万一落下した場合、人体あるいは物品へ与える損傷が大きくなり、大型スピーカ自体も損傷しやすくなる。
【０００４】
また、航空機等の空中輸送機器、電車等の地上輸送機器、船舶等の海上輸送機器等の各種輸送機器にスピーカを設置する場合、内部あるいは外部のいずれに設置する場合についても設置場所が限られ、特にその高所部分に設置する場合については設置場所が限られ、大きさや重量等が限定されたスピーカしか用いることができず、必ずしも高音量、高音質の音声を放射させることはできなかった。
【０００５】
このような制約された設置場所にも好適に用いられるスピーカとして、従来のコーンと呼ばれる円錐状の振動板の代わりに平板状の振動板を用いた平面型スピーカが知られている。平面型スピーカは薄型であると共に、外形寸法に比較して振動面積を大きくでき、大音量を実現することができるという利点を有している。
【０００６】
平面型スピーカは具体的には平板状の振動板に励振器が取り付けられたものであり、平板状の振動板は例えばハニカムコア材の表裏面に表面材が接着されたものである。ハニカムコア材としては、例えば蜂の巣状のハニカムコアや発泡樹脂が用いられ、表面材としては、例えば金属製の薄いシートの他、炭素繊維、ガラス繊維等の高弾性繊維を樹脂で固めたシートが用いられている（例えば、特許文献１、２参照。）。
【特許文献１】特開２００２−０７８０７７号公報
【特許文献２】特開２００３−１２５４７５号公報
【考案の開示】
【考案が解決しようとする課題】
【０００７】
上記したように平面型スピーカについては振動板の面積を大きくし、大音量を実現しやすいという利点がある。しかし、平面型スピーカについては従来のコーンと呼ばれる円錐状の振動板を用いたものに比べ軽量化が可能であるというものの、その振動板の面積を大きくするとそれに比例して重量が増えるという課題がある。そのため、平面型スピーカは薄型で設置場所が制約されにくいというものの、やはりその重量によって従来のような大掛かりで高額な吊り下げ装置等が必要となり、必ずしも高所での使用は容易ではない。また、その重量によって、地震等により落下しやすくなり、万一落下した場合、人体あるいは物品へ与える損傷が大きくなり、平面型スピーカ自体も損傷しやすくなる。
【０００８】
本考案は上記したような課題を解決するためになされたものであって、高所においても容易かつ安全に設置できる軽量型の高所用軽量スピーカ装置を提供することを目的としている。
【課題を解決するための手段】
【０００９】
本考案の高所用軽量スピーカ装置は、ハニカム構造体の少なくとも一方の主面に被覆板が設けられてなる振動板と、前記振動板に取り付けられた励振器とを有する高所用軽量スピーカ装置であって、前記被覆板の重量（ＷＬ）に対する前記ハニカム構造体の重量（ＷＨ）の重量比（ＷＨ／ＷＬ）が１／１００以上、１／１以下であることを特徴とする。
【００１０】
前記振動板は角部が丸く加工されていることが好ましい。また、前記振動板は前記ハニカム構造体の一方の主面のみに前記被覆板が設けられたものであることが好ましい。さらに、前記振動板は、前記ハニカム構造体がアラミド繊維からなる基材にフェノール系樹脂を含浸、硬化させたものであり、前記被覆板がガラス繊維にエポキシ系樹脂を含浸、硬化させたものであることが好ましい。
【００１１】
本考案の高所用軽量スピーカ装置は、例えば建築物あるいは輸送機器の室内あるいは室外の高所部分に直接または間接的に取り付けられて好適に使用されるものである。また、本考案の高所用軽量スピーカ装置は、例えば航空機の外部に直接または間接的に取り付けられて好適に使用されるものである。さらに、本考案の高所用軽量スピーカ装置は、一端部にバルーンが取り付けられ、他端部に紐状あるいはワイヤー状の固定具が取り付けられ、アドバルーンとして好適に使用されるものである。
【考案の効果】
【００１２】
本考案によれば、高所用軽量スピーカ装置をハニカム構造体の少なくとも一方の主面に被覆板が設けられてなる振動板とこの振動板に取り付けられた励振器とを有するものとし、さらに振動板における被覆板の重量（ＷＬ）に対するハニカム構造体の重量（ＷＨ）の重量比（ＷＨ／ＷＬ）を１／１００以上、１／１以下とすることで強度等を維持しつつ軽量化することが可能となり、高所においても容易かつ安全に設置できる高所用軽量スピーカ装置とすることが可能になる。
【考案を実施するための最良の形態】
【００１３】
以下、本考案について図面を参照して説明する。図１は本考案の高所用軽量スピーカ装置１を示した正面図であり、図２は図１に示す高所用軽量スピーカ装置１の背面図である。なお、図１における高所用軽量スピーカ装置１は、一部を切り欠いて内部のようすを示したものである。
【００１４】
本考案の高所用軽量スピーカ装置１は、図１、２に示すように、平板状の振動板２（以下、単に振動板と呼ぶ）の例えば背面に２つの励振器（エキサイター）３が設けられたものである。各励振器３からはそれぞれ配線４が延ばされており、この配線４は高所用軽量スピーカ装置１の背面においてまとめられて外部へと引き出されている。
【００１５】
図３は図２に示す高所用軽量スピーカ装置１におけるＡ−Ａ断面図である。高所用軽量スピーカ装置１の振動板２は、ハニカム構造体５の両主面にそれぞれ被覆板６、７が接合されたものである。このような構造の高所用軽量スピーカ装置１では、配線４からの入力信号により励振器３が振動し、さらにこの励振器３の振動により振動板２が振動して音声が放射される。
【００１６】
本考案の高所用軽量スピーカ装置１は、このような振動板２について、被覆板６、７の重量（ＷＬ）に対するハニカム構造体５の重量（ＷＨ）の重量比（ＷＨ／ＷＬ）を１／１００以上、１／１以下とすることを特徴としている。本考案の高所用軽量スピーカ装置１では、上記重量比（ＷＨ／ＷＬ）を１／１００以上、１／１以下とすることで強度等を維持しつつ軽量化することが可能となり、高所においても容易に設置できるものとすることができる。また、地震等により万一落下した場合でも、人体あるいは物品へ与える損傷を少なくして安全に設置できるものとすることができ、高所用軽量スピーカ装置１自体の損傷も少なくすることができる。
【００１７】
すなわち、上記重量比（ＷＨ／ＷＬ）が１／１００未満であると、例えば振動板２の強度を確保しにくく、強度を確保しようとすると重量が増加するおそれなどがある。一方、上記重量比（ＷＨ／ＷＬ）が１／１を超えると、例えば振動板２の強度を確保しようとするとその厚さが増加しやすく、高所への設置が容易でなくなるなどのおそれがある。
【００１８】
なお、被覆板６、７の重量（ＷＬ）とは、図１〜３に示すように、２枚の被覆板６、７を有する場合には２枚の被覆板６、７の合計した重量である。本考案においては、高所用軽量スピーカ装置１をより軽量化するため、上記重量比（ＷＨ／ＷＬ）を１／２０以上、１／５以下とすればより好ましい。また、振動板２の音声を放射するという機能を確保するため、厚さは０．３ｃｍ以上とすることが好ましい。
【００１９】
なお、本考案の高所用軽量スピーカ装置１における振動板２は、通常は図１〜３に示すように２枚の被覆板６、７を有するものであるが、軽量化が容易であるという観点から、例えば図４に示すようにハニカム構造体５の一方の主面のみに被覆板６が設けられたものとし、例えばそのハニカム構造体５側に励振器３が取り付けられたものとしてもよい。このような場合については、被覆板６の１枚の重量（ＷＬ）に対するハニカム構造体５の重量（ＷＨ）の重量比（ＷＨ／ＷＬ）が上記したように１／１００以上、１／１以下となるようにする。
【００２０】
ハニカム構造体５の重量（ＷＨ）と被覆板６、７の重量（ＷＬ）との重量比（ＷＨ／ＷＬ）を上記重量比とするには、例えばハニカム構造体５や被覆板６、７の厚さを調整する他、ハニカム構造体５のハニカム部の緻密さ等を調整することにより行うことができる。
【００２１】
また、本考案の高所用軽量スピーカ装置１については、図１、２に示すように、振動板２の角部２ａを丸くすることが好ましい。振動板２の角部２ａを丸くしておくことで、地震等による万一の落下時における人体あるいは物品への損傷を極力少なくすることができ、また高所用軽量スピーカ装置１自体の損傷も極力少なくすることができる。
【００２２】
このような振動板２の角部２ａの曲率半径Ｒは、例えば１ｃｍ以上が好ましい。角部２ａの曲率半径Ｒが上記値未満であると、落下時における人体あるいは物品へ与える損傷を十分に抑制することができず、また高所用軽量スピーカ装置１自体も損傷しやすくなる。なお、角部２ａの曲率半径Ｒは、落下時における人体あるいは物品へ与える損傷を十分に抑制し、高所用軽量スピーカ装置１自体の損傷も抑制する観点から、２ｃｍ以上であればより好ましい。
【００２３】
本考案における振動板２のハニカム構造体５は、空洞が形成されたハニカム構造を有するものであれば特にその空洞の断面形状等は限定されるものではなく、例えば図１の切り欠き部に示すような六角形状のものの他、例えば三角形状、正方形状、菱形状、波形状等のものが挙げられる。これらの中でも、特に図１の切り欠き部に示すような六角形状のものが好適であり、さらにこのような六角形状の各面積が１ｃｍ２以下である緻密な構造のものが好適である。
【００２４】
また、ハニカム構造体５、被覆板６、７を構成する材料は高所用軽量スピーカ装置１とした場合に有効に音声を発生させることができるものであれば特に限定されるものではなく、例えば紙、プラスチック、繊維等からなる基材に熱硬化性樹脂を含浸、硬化させたものを用いることができる。このように、基材に熱硬化性樹脂を含浸、硬化させて得られたものは軽量であると共に、強度にも優れるため、特に軽量化や高強度化が求められるハニカム構造体５、被覆板６、７として好適に用いられる。
【００２５】
基材に含浸させる熱硬化性樹脂としては必ずしも限定されるものではないが、エポキシ系樹脂、フェノール系樹脂、メチロール基を有する熱硬化性樹脂等が好ましいものとして挙げられる。また、より一層強度を上げるために、これらエポキシ系樹脂、フェノール系樹脂、メチロール基を有する熱硬化性樹脂等の熱硬化性樹脂に充填剤を配合することもできる。充填材としては、例えばガラス繊維、炭素繊維、アラミド繊維、ナイロン繊維、炭化ケイ素系繊維等の繊維状の充填材や、マイカ、タルク等の粉末状の充填材が挙げられる。
【００２６】
振動板２の好ましい構成としては、ハニカム構造体５が高い剛性を有する結晶性の高分子素材、例えばアラミド繊維の不織布からなる基材にフェノール系樹脂を含浸、硬化させたものであり、被覆板６、７がガラス繊維にエポキシ系樹脂を含浸、硬化させたガラスエポキシ樹脂複合板からなるものである。
【００２７】
このようなアラミド繊維基材にフェノール系樹脂を含浸、硬化させたハニカム構造体５は、例えば厚さが０．５ｍｍ以上、２．０ｍｍ以下、単位面積あたりの重量が４００ｇ／ｍ２以下であるものが好ましく、ガラス繊維にエポキシ系樹脂を含浸、硬化させた被覆板６、７は、厚さが０．０５ｍｍ以上、０．５ｍｍ以下、単位面積あたりの重量が１０００ｇ／ｍ２以下であるものが好ましい。なお、ハニカム構造体５および被覆板６、７は、このような厚さ、単位面積あたりの重量のものの中から、上記重量比（ＷＨ／ＷＬ）を満たすように適宜選択して用いる。
【００２８】
また、本考案における振動板２は高所用としての軽量化の必要性から、上記したようなハニカム構造体５を被覆板６、７で挟持したもののみからなるもの、あるいは、ハニカム構造体５の一方の主面に被覆板６を接合したもののみからなるもの、とすることが好ましい。
【００２９】
このようなハニカム構造体５を被覆板６、７で挟持した振動板２あるいはハニカム構造体５の一方の面のみに被覆板６を設けた振動板２は、その厚さが３ｍｍ以上であれば好ましく、また３０ｍｍ以下であれば好ましい。さらに、振動板２は単位面積あたりの重量が１５０ｇ／ｍ２以上、３０００ｇ／ｍ２以下であれば好ましい。また、その大きさ（面積）は適宜選択することができるが、例えば０．５ｍ２以上、１０ｍ２以下である。
【００３０】
また、振動板２に取り付けられる励振器３は、振動板２を有効に振動させて音声を発生させることができるものであれば特に限定されるものではなく、公知の平面型スピーカにおいて振動板を振動させるために用いられるものを用いることができる。
【００３１】
励振器３は、例えば図２に示すように、背面側の被覆板である被覆板７の上下方向の略中心位置に左右対称に２個設ける他、図示しないが、左右方向の略中心に上下対称に２個設けるなど、必要とする音響効果等に応じて適宜設置する位置、個数を選択することができる。
【００３２】
このような本考案の高所用軽量スピーカ装置１は室内・室外を問わず、広く高所で使用される従来のスピーカの代わりに用いることができる。以下、本考案の高所用軽量スピーカ装置１の適用例について説明する。
【００３３】
図５、６は本考案の高所用軽量スピーカ装置１を建築物の室内高所部分に設置する例として、劇場内の舞台装置１０に適用した例を示したものである。ここで、図５は舞台装置１０を正面から見た正面図であり、図６は図５に示す舞台装置１０を図中右側から見た側面図である。舞台装置１０は、例えば舞台１１、天井１２等からなり、その室内高所部分である天井１２から吊り下げ装置１３により本考案の高所用軽量スピーカ装置１が吊り下げられている。吊り下げ装置１３としては図５、６に示すような棒状の支持体を組み合わせたものの他、ワイヤーやロープ等のようなものであってもよい。なお、本考案の高所用軽量スピーカ装置１が設置される室内高所部分としては、上記したような室内天井の他、例えば室内の壁面上部等であってもよい。
【００３４】
本考案の高所用軽量スピーカ装置１が設置される建築物としては上記したような舞台装置１０が設けられる劇場の他、映画館等の娯楽施設、野球場・陸上競技場等の競技施設、駅・空港・港湾等の輸送機関の施設、工場、会館、集会所等の多数の人が集まる各種施設が挙げられる。なお、本考案の高所用軽量スピーカ装置１はこのような建築物の室外高所部分、例えば壁面上部、屋根等にも設置することができる。また、本考案の高所用軽量スピーカ装置１は、例えば各種用途に用いられる鉄塔、鉄道やモノレール等の高架橋等の各種屋外構造物の高所部分へ設置して使用してもよい。
【００３５】
さらに、本考案の高所用軽量スピーカ装置１は上記したような建築物、構造物の他、バス・列車等の陸上輸送機器、航空機等の空中輸送機器、旅客船等の海上輸送機器等の各種輸送機器の室内高所部分に設置して用いることもできる。図７、８は本考案の高所用軽量スピーカ装置１を輸送機器としての列車２０に設置した例を示したものである。ここで、図７は列車２０の略断面図であり、図８は図７に示す列車２０の上面図である。本考案の高所用軽量スピーカ装置１は、例えば図７、８に示すように列車２０の室内高所部分である天井２１に設置して使用することができる。なお、本考案の高所用軽量スピーカ装置１はこのような輸送機器の室外高所部分、例えば壁面上部、屋根等にも設置することができる。
【００３６】
一方、本考案の高所用軽量スピーカ装置１は航空機等のように、実際の使用である飛行等の際に空中（高所）となるものに設置して使用することもできる。図９は、例えば高所である空中で宣伝等を行う宣伝用航空機３０に高所用軽量スピーカ装置１を設置した例を示した外観図である。本考案の高所用軽量スピーカ装置１は、例えば宣伝用航空機３０の主翼３１の下面３１ａ上に設置される。高所用軽量スピーカ装置１を設置する場所としては上記したような主翼３１の下面３１ａの他、図示しないが、例えば胴体部３２の下面３２ａや尾翼３３の下面３３ａ等が挙げられ、離着陸や飛行に害を与えない範囲で適宜設置する場所、大きさ等を選択することができる。本考案の高所用軽量スピーカ装置１が設置される航空機としては、図９に示すような航空機の他、回転翼航空機（ヘリコプター）等の重航空機、気球、飛行船等の軽航空機等が挙げられる。
【００３７】
また、本考案の高所用軽量スピーカ装置１は上記したように航空機等の外部に直接的に設置する他、飛行中に航空機等から牽引されるようにしたり、吊り下げられたりするようにして間接的に取り付けられていてもよい。図１０、１１は本考案の高所用軽量スピーカ装置１を高所である空中において吊り下げて使用する例として、アドバルーン４０を示したものである。ここで、図１０はアドバルーン４０の正面図、図１１は図１０に示すアドバルーン４０の側面図である。
【００３８】
このアドバルーン４０では、バルーン４１に設けられた吊り下げ具４２によって本考案の高所用軽量スピーカ装置１が吊り下げられると共に、本考案の高所用軽量スピーカ装置１の下部に紐状あるいはワイヤー状の固定具４３の一端部が接続され、この固定具４３の他端部が地面４４に固定されて使用される。
【００３９】
以上説明したように、本考案の高所用軽量スピーカ装置１は強度等が維持されつつ軽量化されたものであるため、上記したような建造物や輸送機器等の室内外高所部分に容易かつ安全に設置することができ、好適に用いられるものである。また、本考案の高所用軽量スピーカ装置１は強度等が維持されつつ軽量化されたものであるため、高所である空中を飛行する航空機等の外部に直接または間接的に取り付けられて、好適に用いられるものである。
【図面の簡単な説明】
【００４０】
【図１】本考案の高所用軽量スピーカ装置を示した一部切り欠き正面図。
【図２】図１に示す高所用軽量スピーカ装置の背面図。
【図３】図１に示す高所用軽量スピーカ装置の断面図。
【図４】高所用軽量スピーカ装置の他の例を示した断面図。
【図５】舞台装置を示した正面図。
【図６】図５に示す舞台装置の側面図。
【図７】本考案の高所用軽量スピーカ装置を列車に適用した例を示した略断面図。
【図８】図７に示す列車の上面図。
【図９】本考案の高所用軽量スピーカ装置を適用した宣伝用航空機を示した外観図。
【図１０】本考案の高所用軽量スピーカ装置を適用したアドバルーンの正面図。
【図１１】図１０に示すアドバルーンの側面図。
【符号の説明】
【００４１】
１…高所用軽量スピーカ装置、２…振動板（２ａ…角部）、３…励振器、４…配線、５…ハニカム構造体、６、７…被覆板、１０…舞台装置、１１…舞台、１２…天井、１３…吊り下げ装置、２０…列車、２１…天井、３０…宣伝用航空機、３１…主翼（３１ａ…下面）、３２…胴体部（３２ａ…下面）、３３…尾翼（３３ａ…下面）、４０…アドバルーン、４１…バルーン、４２…吊り下げ具、４３…固定具、４４…地面
【図１】
0003122449.tif 000003
【図２】
0003122449.tif 000004
【図３】
0003122449.tif 000005
【図４】
0003122449.tif 000006
【図５】
0003122449.tif 000007
【図６】
0003122449.tif 000008
【図７】
0003122449.tif 000009
【図８】
0003122449.tif 000010
【図９】
0003122449.tif 000011
【図１０】
0003122449.tif 000012
【図１１】
0003122449.tif 000013
【手続補正書】
【提出日】平成18年4月4日(2006.4.4)
【手続補正１】
【補正対象書類名】実用新案登録請求の範囲
【補正対象項目名】全文
【補正方法】変更
【補正の内容】
【実用新案登録請求の範囲】
【請求項１】
ハニカム構造体の少なくとも一方の主面に被覆板が設けられてなる振動板と、前記振動板に取り付けられた励振器とを有する高所用軽量スピーカ装置であって、
前記被覆板の重量（ＷＬ）に対する前記ハニカム構造体の重量（ＷＨ）の重量比（ＷＨ／ＷＬ）が１／１００以上、１／１以下であることを特徴とする高所用軽量スピーカ装置。
【請求項２】
前記振動板は角部が丸く加工されていることを特徴とする請求項１記載の高所用軽量スピーカ装置。
【請求項３】
前記振動板は前記ハニカム構造体の一方の主面のみに前記被覆板が設けられたものであることを特徴とする請求項１または２記載の高所用軽量スピーカ装置。
【請求項４】
前記ハニカム構造体がアラミド繊維からなる基材にフェノール系樹脂を含浸、硬化させたものであり、前記被覆板がガラス繊維にエポキシ系樹脂を含浸、硬化させたものであることを特徴とする請求項１乃至３のいずれか１項記載の高所用軽量スピーカ装置。
【請求項５】
前記高所用軽量スピーカ装置は建築物あるいは輸送機器の室内あるいは室外の高所部分に直接または間接的に取り付けられて使用されるものであることを特徴とする請求項１乃至４のいずれか１項記載の高所用軽量スピーカ装置。
【請求項６】
前記高所用軽量スピーカ装置は航空機の外部に直接または間接的に取り付けられて使用されるものであることを特徴とする請求項１乃至４のいずれか１項記載の高所用軽量スピーカ装置。
【請求項７】
前記高所用軽量スピーカ装置は一端部にバルーンが取り付けられ、他端部に紐状あるいはワイヤー状の固定具が取り付けられ、アドバルーンとして使用されるものであることを特徴とする請求項１乃至４のいずれか１項記載の高所用軽量スピーカ装置。